(57)【要約】      （修正有）【課題】引き戸を戸溝から外すことなく、直角方向に曲がった戸溝に沿って引き戸を移動させる方法、あるいは一本の戸溝に一列に並んで載っている引き戸を戸袋に収納する場合も戸溝の方向とは直角方向にスムーズに平行移動させる方法を提供する。【解決手段】敷居と鴨居に掘られた幅１５〜２５ｍｍ、高さ１０〜１５ｍｍの溝に、プラスチックあるいは金属製の、断面がＵ字あるいはコに字型の幅５〜１０ｍｍ、深さ５〜１０ｍｍのガイド溝を持った、幅１５〜２５ｍｍ、高さ１０〜１５ｍｍのレールを嵌め込んで固定し、それに設置する引き戸の底部と天頂部にはレールのガイド溝に嵌る円筒状の高さ５〜１０ｍｍのダボを２個づつ持ち、底部のダボにはダボより一回り大きな直径を持った鍔部があって引き戸の重量はその鍔部がガイド溝を挟んだ両縁に乗ることによって支えられる引き戸用ガイドシステムを使用する。【選択図】図１
0003117031.tif 000002
【実用新案登録請求の範囲】
【請求項１】
障子、襖等の引き戸に於いて敷居と鴨居に掘られた幅１５〜２５ｍｍ、高さ１０〜１５ｍｍの溝に、プラスチック、あるいは金属製で、断面がＵ字あるいはコに字型の幅５〜１０ｍｍ、深さ５〜１０ｍｍのガイド溝を持った、幅１５〜２５ｍｍ、高さ１０〜１５ｍｍのレールを嵌め込んで固定し、それに設置する引き戸の底部と天頂部にはレールのガイド溝に嵌る円筒状の高さ５〜１０ｍｍのダボを２個づつ持ち、底部のダボにはダボより一回り大きな直径を持った鍔部が付けてあり、引き戸の重量はその鍔部がガイド溝を挟んだ両縁に乗ることによって支えられる事を特徴とする引き戸用ガイドシステム。
【請求項２】
部屋の隅などで引き戸同志が直角に突き合わされている場合、両方向からの敷居と鴨居のレールを円弧でスムーズに連結する為の、縦横８ｃｍほどのプラスチック製の直角レール連結板で、上面には両方向からのガイド溝をつなぐ半径５ｃｍ程の４分の１円弧のガイド溝が掘ってあり、溝の幅，深さは直線部ガイド溝と同じ幅、深さにしてあり、そのレール連結板を嵌め込む為に敷居と鴨居に掘られた溝の直角に挟まれた側の縁を少し切り欠いて不等辺５角形の窪みを作りそこにレール連結板を嵌め込んで固定し、引き戸をガイド溝から外すことなく直角方向にもスムーズに方向転換して移動できる事を特徴とする請求項１記載の引き戸用ガイドシステム。
【請求項３】
引き戸を重ねて立てて戸袋に収納する場合などの為に引き戸をレールの方向に対して直角方向に平行移動させることができるＴ字型に掘られたガイド溝を持つほぼ１０ｃｍ角のＴ字レール連結板において、引き戸をスムーズに方向転換させるために、Ｔ字型の横溝と縦溝が突き合わさっている角を少し丸く落としておき、そのままでは縦横の突き合わせ部分が広くなりすぎ、ダボについている鍔部分まで溝に落ち込んでしまう危険性があるので突き合わせ部分の中心に溝の縁と同じ高さの、かつダボの移動の妨げにならない大きさ、形の突起をつけて引き戸を直角方向に移動させる事のできるようにしてある事を特徴とする請求項１記載の引き戸用ガイドシステム。
【考案の詳細な説明】
【技術分野】
【０００１】  障子や襖等の引き戸を敷居から外すことなく、直角方向に曲げて移動させる事のできるガイドシステムに関する。
【背景技術】
【０００２】  日本の家屋には昔から障子や襖等の引き戸が多く使われている。ドアは開閉する為にはドアの前後にスペースが必要であるが、引き戸はその必要が無く空間を有効に利用できる利点がある。【０００３】  複数の引き戸を設置する場合、一枚の引き戸毎を独立の戸溝あるいはレ−ルに載せて、平行に並べ、引き違い戸のように使用するならば、引き戸を一箇所に収納する場合も全ての戸を片側に寄せれば良かったが、敷居と鴨居の幅がそれぞれ広くなるという欠点があった。【０００４】  ２枚以上の引き戸を一本の戸溝あるいはレールに載せて一直線に並べて使用することもでき、この場合敷居と鴨居の幅は狭くする事ができるが、引き戸を戸袋などに収納するには戸を戸溝あるいはレールから一枚づつ外して戸袋に移動させなければならなかった。【０００５】  また部屋の角などのように戸溝が直角方向に突き合わさっているような場合に、一方の戸溝にある引き戸を他の戸溝に移すに当たり、引き戸を一旦戸溝から外して他の戸溝に嵌めなおさなければならなかった。【０００６】  ホテルの大広間を仕切るパーティションを移動させる方法として、天井に設置したレールに、車つきの吊り具でパーティションを吊るし、縦横に移動させ、あるいは直角に曲げる技術はあったが、家庭用の障子や襖等のように敷居に載った状態で直角方向に移動させる技術は無かった。また天井から吊るす場合、天井に設置するレールは戸の全重量を支えられる丈夫なものでなければならなかった。
【考案の開示】
【考案が解決しようとする課題】
【０００７】  引き戸を戸溝から外すことなく、直角方向に曲がった戸溝に沿って引き戸を移動させる方法、あるいは一本の戸溝に一列に並んで載っている引き戸を戸袋に収納する場合も引き戸を戸溝から外すことなく、戸溝の方向とは直角方向にスムーズに平行移動させる方法を提供する。
【課題を解決するための手段】
【０００８】  本考案は上記問題に鑑みてなされたものであり、木製の敷居と鴨居に掘られた溝にプラスチックあるいは金属製の、断面がＵ字あるいはコに字型のガイド溝を持ったレールを嵌め込んで固定する。それに設置する引き戸の底部と天頂部にはレールのガイド溝に嵌る円筒状のダボが引き戸をガイドする為に２個づつ付けてある。底部のダボにはダボより一回り大きな直径を持った鍔部があって引き戸の重量はその鍔部がガイド溝を挟んだ両縁に乗ることによって支えられるようにする。
【考案の効果】
【０００９】  本考案のガイドシステムによれば、引き戸をガイド溝から外すことなく直角に設置された溝に沿って引き戸を直角方向に曲げて移動させたり、複数の引き戸を戸袋に収納する場合も溝から外すことなく引き戸を平行移動させてずらし、立てかけて重ねることができる。ガイド溝を持つレールは敷居用も鴨居用も同一の形態のものでよい。
【考案を実施するための最良の形態】
【０００７】  引き戸の敷居と鴨居に掘られた幅１５〜２５ｍｍ、高さ１０〜１５ｍｍの溝に、プラスチック、あるいは金属製の、断面がＵ字あるいはコに字型の幅５〜１０ｍｍ、深さ５〜１０ｍｍのガイド溝を持った、幅１５〜２５ｍｍ、高さ１０〜１５ｍｍのレールを嵌め込み、それに設置する引き戸の底部と天頂部にはそれぞれのレールのガイド溝に嵌る円筒状の高さ５〜１０ｍｍのダボを２個づつ持ち、底部のダボにはダボより一回り大きな直径を持った鍔部が付けてあり、引き戸の重量はその鍔部がガイド溝を挟んだ両縁に乗ることによって支えられて移動できるようにする。
【実施例】
【０００８】  本考案のガイドシステムを図面に基づいて説明すると、図１は引き戸が設置された状態を示す部分断面図で、図１ａは敷居近辺を表しており、敷居１にガイド溝２を持ったレール３を嵌めて固定してあり、その上に鍔部４を持った敷居ダボ５が引き戸６の底部に差し込まれたものが載った状態を表している。図１ｂは鴨居近辺を表しており、鴨居７には、やはりガイド溝２を持ったレール３を嵌めて固定してある。引き戸６の天頂部には天頂ダボ８が差し込んであり、上下のレール溝とそれぞれのダボで引き戸を保持できるようになっている。【０００９】  図２は引き戸の部分を表しており、図２ａは天頂ダボ８の差し込んである引き戸の天頂部の部分正面図で、図２ｂ、ｃはそれぞれ敷居ダボ５の差し込んである引き戸の底部の部分正面図と底面図が示してある。【００１０】  図３は直角に突き合わせて設置された戸溝のレールをスムーズにつなぐための直角レール連結板９を示す斜視図で、縦横８ｃｍほどのプラスチック製で、上面には両方向からのガイド溝をつなぐ半径５ｃｍ程の４分の１円弧のガイド溝１０が掘ってあり、溝の幅，深さは直線部のガイド溝と同じ幅、深さにしてある。【００１１】  この直角レール連結板９を嵌め込む為に敷居と鴨居に掘られた溝の直角に挟まれた側の縁を少し切り欠いて不等辺５角形の窪みを作りそこに直角レール連結板９を嵌め込んで固定するようになっているが、図４は直角に突き合わせて設置された敷居の部分図で、切欠き部分１１が示してある。【００１２】  引き戸を重ねて立てて戸袋に収納する場合などの為に引き戸をレールの方向に対して直角方向に平行移動させることができるＴ字型に掘られたガイド溝を持つＴ字レール連結板１２が図５に示してある。引き戸をスムーズに方向転換させるために、Ｔ字型の横溝と縦溝が突き合わさっている角１３を少し丸く落としておき、そのままでは縦横の突き合わせ部分が広くなりすぎ、ダボについている鍔部分まで溝に落ち込んでしまう危険性があるので、突き合わせ部分の中心に溝の縁と同じ高さの、かつダボの移動の妨げにならない大きさ、形の中心突起１４が付けてある。
【産業上の利用可能性】
【００１３】  以上述べてきたように、本考案の引き戸用ガイドシステムはガイドレールが敷居用も鴨居用も同一のもので良く、引き戸には上下２箇所づつダボを取り付けるのみなので、軽量で安価に仕上げられる。かつ本考案の引き戸用レール一本で間に合う場合は、敷居、鴨居の木材部分は複数の戸溝の場合に比べ少量で済む。
【図面の簡単な説明】
【００１４】
【図１】本考案の引き戸ガイドシステムを示す部分断面図。  ａ．敷居部分  ｂ．鴨居部分
【図２】ａ．引き戸の天頂部の部分正面図  ｂ．引き戸の底部の部分正面図  ｃ．引き戸の底部の底面図
【図３】直角レール連結板
【図４】直角に突き合わせてある敷居の部分斜視図
【図５】Ｔ字レール連結板
【符号の説明】
１  敷居
２  ガイド溝
３  レール
４  鍔部
５  敷居ダボ
６  引き戸
７  鴨居
８  天頂ダボ
９  直角レール連結板
１０  ４分の１円弧のガイド溝
１１  敷居あるいは鴨居の切欠き部分
１２  Ｔ字レール連結板
１３  横溝と縦溝が突き合わさっている角
１４  中心突起
【図１】
0003117031.tif 000003
【図２】
0003117031.tif 000004
【図３】
0003117031.tif 000005
【図４】
0003117031.tif 000006
【図５】
0003117031.tif 000007